(57)【要約】【課題】ガイドバー上に高さ調整装置を設置し、平らに延伸されたガイドバーの高さを調整すると共に、トップカバーと適切な間隙を維持し、光ディスクが間隙に入り込んだり、引っかかったりすることを回避できる、スロットイン式光ディスクドライブガイドバーの高さ調整装置の提供。【解決手段】本発明のスロットイン式光ディスクドライブのガイドバーの高さ調整装置は、前記スロットイン式光ディスクドライブ内のガイドバーに設置され、スロットイン式光ディスクドライブはベースプレートが設置され、ガイドバーの一端が前記ベースプレートの支軸に枢設され、他端の凸設ピンが前記スロットイン式光ディスクドライブ内に懸吊され、かつネジ穴が設けられる。高さ調整装置がネジ穴に穿通されてベースプレートに当接され、ガイドバーが枢設された支軸を支点として、ガイドバーの凸設ピンがある一端の高さを調整する。【選択図】 図３
2011070758.tif 000002
【特許請求の範囲】
【請求項１】
スロットイン式光ディスクドライブのガイドバーの高さ調整装置であって、前記スロットイン式光ディスクドライブ内のガイドバーに設置され、前記スロットイン式光ディスクドライブにベースプレートが設置され、前記ガイドバーは一端が前記ベースプレートの支軸に枢設され、他端に設けた凸設ピンが前記スロットイン式光ディスクドライブ内に懸吊され、かつネジ穴が設けられ、前記高さ調整装置を前記ネジ穴に穿通して前記ベースプレートに当接させ、前記ガイドバーが枢設された前記支軸を支点として前記ガイドバーの凸設ピンの一端の高さを調整することを特徴とする、スロットイン式光ディスクドライブのガイドバーの高さ調整装置。 
【請求項２】
請求項１に記載のスロットイン式光ディスクドライブのガイドバーの高さ調整装置において、前記高さ調整装置がナットを前記ネジ穴に連結し、前記ナットにボルトを螺設して前記ネジ穴に穿通させることができることを特徴とする、スロットイン式光ディスクドライブのガイドバーの高さ調整装置。 
【請求項３】
請求項２に記載のスロットイン式光ディスクドライブのガイドバーの高さ調整装置において、前記ボルトが内六角ボルトであることを特徴とする、スロットイン式光ディスクドライブのガイドバーの高さ調整装置。
【請求項４】
請求項２に記載のスロットイン式光ディスクドライブのガイドバーの高さ調整装置において、前記ボルトが前記ネジ穴から穿出される長さを利用してイジェクトガイドバーの前記凸設ピンの一端の高さを調整することを特徴とする、スロットイン式光ディスクドライブのガイドバーの高さ調整装置。
【請求項５】
請求項１に記載のスロットイン式光ディスクドライブのガイドバーの高さ調整装置において、前記ガイドバーがイジェクトガイドバーであることを特徴とする、スロットイン式光ディスクドライブのガイドバーの高さ調整装置。
【請求項６】
請求項５に記載のスロットイン式光ディスクドライブのガイドバーの高さ調整装置において、前記ベースプレートに弧形ガイド溝が設けられ、前記イジェクトガイドバーは一端が前記ベースプレート下の前記支軸に枢設され、前記凸設ピンのある一端が
前記ベースプレートの前記弧形ガイド溝に穿通され、前記スロットイン式光ディスクドライブの中心付近まで平らに延伸されて懸吊され、前記イジェクトガイドバーは通過した前記弧形ガイド溝の側縁上方に前記ネジ穴が設けられたことを特徴とする、スロットイン式光ディスクドライブのガイドバーの高さ調整装置。
【請求項７】
請求項６に記載のスロットイン式光ディスクドライブのガイドバーの高さ調整装置において、前記イジェクトガイドバーが前記支軸を中心として前記弧形ガイド溝に沿って回動し、前記高さ調整装置が前記ネジ穴に穿通されて前記弧形ガイド溝の側縁の前記ベースプレートに当接され、摺動されることを特徴とする、スロットイン式光ディスクドライブのガイドバーの高さ調整装置。
【請求項８】
請求項１に記載のスロットイン式光ディスクドライブのガイドバーの高さ調整装置において、前記高さ調整装置がボルトであることを特徴とする、スロットイン式光ディスクドライブのガイドバーの高さ調整装置。
【請求項９】
請求項８に記載のスロットイン式光ディスクドライブのガイドバーの高さ調整装置において、前記ボルトがプラスチック材質であることを特徴とする、スロットイン式光ディスクドライブのガイドバーの高さ調整装置。
【請求項１０】
請求項１に記載のスロットイン式光ディスクドライブのガイドバーの高さ調整装置において、前記ガイドバーが位置決めガイドバーであることを特徴とする、スロットイン式光ディスクドライブのガイドバーの高さ調整装置。
【請求項１１】
請求項１に記載のスロットイン式光ディスクドライブのガイドバーの高さ調整装置において、前記ガイドバーがディスク挿入ガイドバーであることを特徴とする、スロットイン式光ディスクドライブのガイドバーの高さ調整装置。
【発明の詳細な説明】
【技術分野】
【０００１】
本発明は光ディスクドライブに関し、特に、スロットイン式光ディスクドライブ内で光ディスクの挿脱をガイドするガイドバーの高さ調整に用いる装置に関する。
【背景技術】
【０００２】
スロットイン式光ディスクドライブは複数のリンクバーの機構を利用してガイドバーを連動し、挿入された光ディスクを自動的に収容して光ディスクを再生位置までガイドし、イジェクト時も複数のリンクバー機構でガイドバーを連動し、光ディスクを光ディスクドライブからイジェクトさせるものであり、使用上非常に便利で、消費のトレンドとなっている。
【０００３】
図１に先行技術のスロットイン式光ディスクドライブ１０を示す。ディスク挿入時は人力で光ディスクＤをスロットイン式光ディスクドライブ１０に挿入し、スロットイン式光ディスクドライブ１０上にあるトップカバー１１とボトムケース１２内のガイドバー１３を押し動かす。ガイドバー１３は一端がボトムケース１２に回動可能に枢設され（図示しない）、外周に合成樹脂カバー１５が被着された固定突起部１４が他端に設置され、スロットイン式光ディスクドライブ１０の中央近くまで平らに延伸かつ懸吊されて、光ディスクＤの周縁に接触する。固定突起部１４が光ディスクＤの押す力を受けてガイドバー１３を回動させ、スロットイン式光ディスクドライブ１０のセンサ（図示しない）がトリガされて、スロットイン式光ディスクドライブ１０が起動され、自動的に光ディスクＤが定位置まで収容される。イジェクト時は、複数のリンクバーから成る機構によってガイドバー１３を逆回動させ、固定突起部１４を利用して光ディスクＤをスロットイン式光ディスクドライブ１０から押し出す。
【０００４】
しかしながら、先行技術のスロットイン式光ディスクドライブ１０は重量を軽減するため、ガイドバー１３の多くが細長くやや高い細長片状である。製造及び組み立ての誤差で、ガイドバー１３の固定突起部１４が設置された一端が下垂して平らに延伸された状態を保持できず、固定突起部１４をトップカバー１１にしっかりと当接させることができなくなり、間隙が形成されることがある。さらに、ガイドバー１３の固定突起部１４が設置されて平らに延伸された一端は、その強度で光ディスクＤを押し動かして位置決めとイジェクトを行うが、何度も光ディスクＤを押すため、ガイドバー１３の部材に疲労が生じて下垂を形成する。固定突起部１４はトップカバー１１にしっかりと当接されず、間隙が形成される。これら間隙によって斜めに挿入された光ディスクＤが間隙中に引っかかり、光ディスクＤに傷をつけてしまったり、過度に下垂したガイドバー１３がその他の機構に当たったり、誤動作を引き起こしたりして光ディスクドライブが引っかかって出てこなくなることがある。このため、先行技術のスロットイン式光ディスクドライブはガイドバーの高さ調整の面において、まだ解決が必要な問題がある。
【発明の概要】
【発明が解決しようとする課題】
【０００５】
本発明の目的は、ガイドバー上に高さ調整装置を設置し、平らに延伸されたガイドバーの高さを調整すると共に、トップカバーと適切な間隙を維持し、光ディスクが間隙に入り込んでしまったり、引っかかってしまったりすることを回避できる、スロットイン式光ディスクドライブガイドバーの高さ調整装置を提供することにある。
【０００６】
本発明の別の目的は、プラスチックの高さ調整装置を利用して摺動の摩擦騒音を減少し、かつ高さ調整装置の構造と重量を簡素化した、スロットイン式光ディスクドライブガイドバーの高さ調整装置を提供することにある。
【課題を解決するための手段】
【０００７】
前述の発明の目的を達するため、本発明のスロットイン式光ディスクドライブのガイドバーの高さ調整装置は、前記スロットイン式光ディスクドライブ内のガイドバーに設置され、スロットイン式光ディスクドライブにベースプレートが設置され、前記ガイドバーは一端が前記ベースプレートの支軸に枢設され、他端の凸設ピンがスロットイン式光ディスクドライブ内に懸吊され、さらにネジ穴が設けられ、高さ調整装置を前記ネジ穴に穿通させて前記ベースプレートに当接させ、ガイドバーが枢設された支軸を支点として、ガイドバーの凸設ピンが設置された一端の高さを調整する。
【０００８】
本発明は高さ調整装置をイジェクトガイドバーに設置することができ、前記イジェクトガイドバーは一端がベースプレート下の支軸に枢設され、凸設ピンの他端がベースプレートの弧形ガイド溝に穿通されて、平らにスロットイン式光ディスクドライブの中心付近まで延伸して懸吊され、かつイジェクトガイドバーは通過した弧形ガイド溝の側縁上方にネジ穴が設けられる。高さ調整装置はナットとボルトを含み、前記ナットがガイドバーのネジ穴に連結され、ナットに内六角ボルトが螺設され、前記ネジ穴に穿通させることができ、ネジ穴から穿通される長さを利用して、イジェクトガイドバーの凸設ピンの一端の高さを調整することができる。本発明の高さ調整装置はプラスチック材質のボルトとしてもよい。
【図面の簡単な説明】
【０００９】
【図１】先行技術のスロットイン式光ディスクドライブの部分側面断面図である。
【図２】本発明の実施例１の高さ調整装置を設置したスロットイン式光ディスクドライブの立体図である。
【図３】図２のＡの部位の高さ調整装置の部分拡大図である。
【図４】図３のＢ−Ｂ線の部分側面断面図である。
【図５】本発明の高さ調整装置の作用を示す側面断面図である。
【図６】本発明の実施例２の高さ調整装置の側面断面図である。
【発明を実施するための形態】
【００１０】
本発明が上述の目的を達成するために採用する技術手段及びその効果について、以下で最良の実施例を挙げ、図面を組み合わせて説明する。
【実施例１】
【００１１】
図２に本発明の実施例１の高さ調整装置を設置したスロットイン式光ディスクドライブ２０を示す。スロットイン式光ディスクドライブ２０は、筐体２１、光ピックアップ２２、挿脱リンクバーセット２３、伝動装置２４、高さ調整装置２５を含む。そのうち筐体２１はトップカバー２６（図５参照）とボトムケース２７から構成された内部が中空の殼体であり、前端に光ディスクＤを挿脱させるための出入口２８を備え、ボトムケース２７の後半部に平らに敷いたベースプレート２９が固定される。光ピックアップ２２は一端がボトムケース２７の出入口２８の側辺に枢設され、他端に主軸モータ３０が設置され、スロットイン式光ディスクドライブ２０の中心まで平らに延伸され、光ディスクＤを回転させるために用いられる。光ピックアップ２２は主軸モータ３０の径方向に沿って細溝３１が設けられ、ピックアップヘッド３２が往復移動してディスクＤのデータの読み取りと書き込みを行うために用いられる。
【００１２】
挿脱リンクバーセット２３はディスク挿入ガイドバー３３、イジェクトガイドバー３４、位置決めガイドバー３５、リンクバー機構３６から構成される。リンクバー機構３６はベースプレート２９下方に設置され、ベースプレート２９に支持されて移動し、複数のリンクバーの連動を利用して、スロットイン式光ディスクドライブ２０の両側にそれぞれ枢設されたディスク挿入ガイドバー３３とイジェクトガイドバー３４、及びスロットイン式光ディスクドライブ２０後ろ側に枢設された位置決めガイドバー３５を動かす。ディスク挿入ガイドバー３３、イジェクトガイドバー３４、位置決めガイドバー３５は一般に細長くやや高い細長片状である。枢設されていない一端の凸設ピン３７はスロットイン式光ディスクドライブ２０内の適切な位置に平らに延伸して懸吊される。光ピックアップ２２側辺に設置された伝動装置２４により、スロットイン式光ディスクドライブ２０の動力が提供され、リンクバー機構３６が押し動かされ、ディスク挿入ガイドバー３３、イジェクトガイドバー３４、位置決めガイドバー３５が回動されて、各ガイドバーの凸設ピン３７が光ディスクＤの周縁に接触し、光ディスクＤの挿脱がガイドされる。
【００１３】
そのうち、イジェクトガイドバー３４は一端がベースプレート２９下の支軸３８に枢設され、支軸３８近くの接点３９でリンクバー機構３６に連結される。イジェクトガイドバー３４の凸設ピン３７が設けられた一端が、ベースプレート２９上の弧形ガイド溝４０に穿通されて光ピックアップ２２上方に懸吊され、且つ主軸モータ３０付近まで平らに延伸される。イジェクトガイドバー３４はリンクバー機構３６によって接点３９を経由して動かされ、支軸３８を中心として弧形ガイド溝４０に沿って回動する。イジェクトガイドバー３４上に高さ調整装置２５が設置される。
【００１４】
図３に図２のＡ部位の高さ調整装置２５の部分拡大図、図４に図３の線Ｂ−Ｂの側面断面図をそれぞれ示す。イジェクトガイドバー３４は通過した弧形ガイド溝４０の側縁上方にネジ穴４１が設けられる。高さ調整装置２５はナット４２とボルト４３を含み、ナット４２はネジ穴４１上に連結され、ナット４２にボルト４３が螺設され、ボルト４３は設置空間を節約するため内六角ボルトとすることができる。ボルト４３をネジ穴４１に穿通し、弧形ガイド溝４０側縁のベースプレート２９に当接させることができる。
【００１５】
イジェクトガイドバー３４の製造と組み立て時の誤差や部材の疲労、繰り返し力を受けることでの湾曲や下垂が発生した時、ボルト４３を回してボルト４３をネジ穴４１から穿出させ、弧形ガイド溝４０側縁のベースプレート２９に当接させることができる。イジェクトガイドバー３４一端のベースプレート２９に枢設された支軸３８を支点として利用し、ボルト４３をネジ穴４１から穿出させる長さによって高さを調整する。図５に本発明の高さ調整装置２５の作用を示す側面断面図を示す。イジェクトガイドバー３４の凸設ピン３７の一端の高さを調整し、凸設ピン３７とトップカバー２６間に適切な間隙を保持して、光ディスクが間隙に入り込んでしまうことがないようにすると同時に、凸設ピン３７がトップカバー２６の摺動で生じる騒音と磨耗を防止する。このほか、イジェクトガイドバー３４の回動時、高さ調整装置２５のボルト４３が弧形ガイド溝４０の側縁のベースプレート２９上で摺動することを利用し、フラットなベースプレート２９がイジェクトガイドバー３４に一定の高さを維持させ、下方に下垂してその他部材に接触し、引っかかることを防止することができる。
【００１６】
本実施例はイジェクトガイドバー３４に高さ調整装置２５を設け、イジェクトガイドバー３４の高さを調整することを例として説明したが、本発明はこれに限定されず、あらゆる細長くてやや高い、または高さを調整する必要があるディスク挿入ガイドバー及び位置決めガイドバー等のガイドバーにも適用できる。このため、本発明のスロットイン式光ディスクドライブガイドバーの高さ調整装置は、ガイドバー上に設置した高さ調整装置によってガイドバーの平らに延伸された状態の高さを調整し、トップカバーとの間に適切な間隙を維持して光ディスクドライブが引っかかったり、光ディスクが間隙に入り込んだりすることがないよう防止するという目的を達することができる。
【実施例２】
【００１７】
図６に本発明の実施例２の高さ調整装置５０を示す。本実施例は実施例１と基本構造は同じであり、説明を簡略化するため、同様の部材には同じ符号を用いて説明する。本実施例と実施例１の違いは、本発明の高さ調整装置がボルト５１であり、特にプラスチック材質のボルト５１である点である。厚みがやや厚いイジェクトガイドバー３４に対し、ボルト５１をイジェクトガイドバー３４のネジ穴４１に直接螺設し、一端をネジ穴４１から穿出させて弧形ガイド溝４０側縁のベースプレート２９に当接させ、イジェクトガイドバー３４の高さを調整することができる。プラスチック材質のボルト５１は重量を軽減できるだけでなく、イジェクトガイドバー３４の回動時、プラスチック材質のボルト５１がベースプレート２９上で摺動し、金属材質のベースプレート２９との間で摩擦騒音を発生しないようにすることができる。
【００１８】
このため、本発明のスロットイン式光ディスクドライブのガイドバーの高さ調整装置は、プラスチックボルトで構成された高さ調整装置を利用し、摺動時の摩擦騒音を減少でき、且つ高さ調整装置の構造を簡素化し、比較的軽量のプラスチックボルトで光ディスクドライブ全体の重量を抑えることができる。
【００１９】
上述において、本発明の説明の利便性のために最良の実施例を挙げて説明したが、本発明の範囲はこれら最良の実施例に限定されず、本発明に基づく本発明の要旨を逸脱しないあらゆる変更は本発明の特許請求の範囲に含まれる。
【符号の説明】
【００２０】
２０   スロットイン式光ディスクドライブ
２１   筐体
２２   光ピックアップ
２３   挿脱リンクバーセット
２４   伝動装置
２５   高さ調整装置
２６   トップカバー
２７   ボトムケース
２８   出入口
２９   ベースプレート
３０   主軸モータ
３１   細溝
３２   ピックアップヘッド
３３   ディスク挿入ガイドバー
３４   イジェクトガイドバー
３５   位置決めガイドバー
３６   リンクバー機構
３７   凸設ピン
３８   支軸
３９   接点
４０   弧形ガイド溝
４１   ネジ穴
４２   ナット
４３   ボルト
５０   実施例２の高さ調整装置
５１   ボルト
Ｄ   光ディスク  
【図１】
2011070758.tif 000003
【図２】
2011070758.tif 000004
【図３】
2011070758.tif 000005
【図４】
2011070758.tif 000006
【図５】
2011070758.tif 000007
【図６】
2011070758.tif 000008